(57)【要約】【課題】低騒音化を図り送風効率を向上させた電動送風機を提供することを目的とする。【解決手段】動翼１２の吸気側と排気側の少なくとも一方の動翼動翼先端部１３には、動翼１２全体と比較して加工容易な微小溝追加部１８を設け、この微小溝追加部１８に複数の微小溝１４を設けたものである。これによって、動翼１２の動翼先端部１３が狭く動翼１２同士の間隔も狭くても加工容易な微小溝追加部１８に容易に複数の微小溝１４を設けることができ、低騒音化を図り送風効率を向上させることができる。【選択図】図１
2007247492.tif 000002
【特許請求の範囲】
【請求項１】
電動機を内包するブラケットと、複数の動翼を有し電動機により回転駆動されるインペラと、インペラの周囲に配置されるエアガイドと、インペラおよびエアガイドを覆うファンケースとを備え、前記動翼の吸気側と排気側の少なくとも一方の先端部には、動翼全体と比較して加工容易な微小溝追加部を設け、この微小溝追加部に複数の微小溝を設けた電動送風機。
【請求項２】
微小溝追加部は、動翼先端部の肉厚を薄くすることで構成した請求項１に記載の電動送風機。
【請求項３】
微小溝追加部は、動翼全体とは異なる材質で構成した請求項１または請求項２に記載の電動送風機。
【請求項４】
微小溝追加部は、動翼全体と比較して荷重たわみ温度の低い樹脂で構成した請求項３に記載の電動送風機。
【請求項５】
微小溝加工部は、動翼全体と比較して硬度の低い樹脂で構成した請求項３に記載の電動送風機。
【請求項６】
請求項１〜５のいずれか１項に記載の電動送風機を有する電気掃除機。
【発明の詳細な説明】
【技術分野】
【０００１】
本発明は、騒音を低減させ送風効率を向上させた電動送風機およびそれを有する電気掃除機に関するものである。
【背景技術】
【０００２】
従来、空調機用の室外機に使用されているプロペラファン（送風機用羽根車）において、動翼端部に複数の微小溝を設けることにより大きな渦の発生を抑え、低騒音化を図ったものが知られている（例えば、特許文献１参照）。
【特許文献１】特開平１１−２１０６９１号公報
【発明の開示】
【発明が解決しようとする課題】
【０００３】
しかしながら、前記従来の構成では、プロペラファンでは微小溝を設ける動翼端部が広いため、微小溝同士の間隔が広くとれ、しかも動翼同士の間隔も広いため、他の動翼を避けつつ微小溝を設ける加工ができる。しかし、動翼の先端部が狭く動翼同士の間隔が狭い電動送風機においては微小溝を設けることが難しいという課題を有していた。
【０００４】
本発明は、前記従来の課題を解決するもので、動翼の先端部が狭く動翼同士の間隔も狭くても動翼先端部に複数の微小溝を設けることができるようにして、低騒音化を図り送風効率を向上させた電動送風機およびそれを有する電気掃除機を提供することを目的とするものである。
【課題を解決するための手段】
【０００５】
前記従来の課題を解決するために、本発明の電動送風機は、動翼の吸気側と排気側の少なくとも一方の先端部には、動翼全体と比較して加工容易な微小溝追加部を設け、この微小溝追加部に複数の微小溝を設けたものである。
【０００６】
これによって、動翼の先端部が狭く動翼同士の間隔も狭くても加工容易な微小溝追加部に容易に複数の微小溝を設けることができ、低騒音化を図り送風効率を向上させることができる。
【０００７】
また、本発明の電気掃除機は、前記電動送風機を用いることにより、低騒音化と吸引力向上が図れる。
【発明の効果】
【０００８】
本発明の電動送風機およびそれを用いた電気掃除機は、容易に複数の微小溝を設けることができ、低騒音化を図り送風効率を向上させることができる。
【発明を実施するための最良の形態】
【０００９】
第１の発明は、電動機を内包するブラケットと、複数の動翼を有し電動機により回転駆動されるインペラと、インペラの周囲に配置されるエアガイドと、インペラおよびエアガイドを覆うファンケースとを備え、前記動翼の吸気側と排気側の少なくとも一方の先端部には、動翼全体と比較して加工容易な微小溝追加部を設け、この微小溝追加部に複数の微小溝を設けた電動送風機とすることにより、動翼の先端部が狭く動翼同士の間隔も狭くても加工容易な微小溝追加部に容易に複数の微小溝を設けることができ、低騒音化を図り送風効率を向上させることができる。
【００１０】
第２の発明は、特に、第１の発明において、微小溝追加部は、動翼先端部の肉厚を薄くすることで構成したことにより、複雑な構成や加工を必要とせず容易に微小溝追加部と微小溝を構成することができる。
【００１１】
第３の発明は、特に、第１または第２の発明において、微小溝追加部は、動翼全体とは異なる材質で構成したことにより、微小溝追加部と動翼全体で加工のしやすさを大きく変化させることが可能となるため、微小溝を配置する際に微小溝追加部以外の個所が同時に加工され微小溝が大きく形成されて異常流れとなることを防ぐことができる。
【００１２】
第４の発明は、特に、第３の発明において、微小溝追加部は、動翼全体と比較して荷重たわみ温度の低い樹脂で構成したことにより、熱を加えつつ加工することで容易に微小溝を形成でき高温にならない通常使用時には変形することがない。
【００１３】
第５の発明は、特に、第４の発明において、微小溝加工部は、動翼全体と比較して硬度の低い樹脂で構成したことにより、特別な加工具や加工作業を行わず容易に微小溝を形成することができる。
【００１４】
第６の発明は、特に、第１〜第５のいずれか１つの発明における電動送風機を有する電気掃除機とすることにより、低騒音化と吸引力が高い電気掃除機を提供できる。
【００１５】
以下、本発明の実施の形態について、図面を参照しながら説明する。なお、この実施の形態によって本発明が限定されるものではない。
【００１６】
（実施の形態１）
図１は、本発明の実施の形態１における電動送風機を示すものである。
【００１７】
図１（ａ）において、電動送風機５には電動機６が配置されている。電動機６はブラケット７に内包され、回転軸８によってインペラ９と接続されている。インペラ９は回転中心に配置された樹脂製のインデューサ１０と外周部に配置された金属製の板金部１１によって構成されており、インデューサ１０と板金部１１は表面が滑らかになるよう接続され複数の動翼１２を構成している。吸気側と排気側両方の動翼先端部１３には、それぞれ複数の微小溝１４が設けられている。また、インペラ９の排気側の周囲にはエアガイド１５が配置されており、インペラ９とエアガイド１５はファンケース１６によって覆われている。ファンケース１６は中央部に吸気口１７を有しており、ブラケット７と接続されている。
【００１８】
図１（ｂ）において、動翼１２の動翼先端部１３には動翼全体と比較して加工容易な微小溝追加部１８が設けられており、微小溝追加部１８に微小溝１４が設けられている。微小溝追加部１８は動翼先端部１３の肉厚を薄くすることで形成されている。動翼先端部１３のうち、吸気側動翼先端部１３Ａに設けられる吸気側微小溝追加部１８Ａはインデューサ１０に設けられ、排気側動翼先端部１３Ｂに設けられる排気側微小溝追加部１８Ｂは板金部１１に設けられている。
【００１９】
吸気側微小溝追加部１８Ａは樹脂製のインデューサ１０を成型する際に同時に成型される。吸気側微小溝追加部１８Ａの形状は後から微小溝１４を設ける加工により成型されるため、インデューサ１０の成型時には精度を必要としない。また、吸気側微小溝追加部１８Ａは微小溝１４よりも大きい形状であることから容易に成型することができる。
【００２０】
排気側微小溝追加部１８Ｂは金属製の板金部１１に形成されている。金属製板金部品の先端部の厚みはプレスで容易に薄くすることが可能であるため、排気側微小溝追加部１８Ｂを形成することができる。微小溝１４は排気側微小溝追加部１８Ｂを切り取り形成される。
【００２１】
このように、微小溝追加部１８は肉厚が薄く容易に加工を行うことができるため、吸気側動翼先端部１３Ａが狭く動翼１２の間隔が狭い電動送風機５にも微小溝１４を設けることができる。
【００２２】
以上のように構成された電動送風機について、以下その動作、作用を説明する。
【００２３】
まず、電動送風機５を起動すると、電動機６が回転しそれに伴って回転軸８とインペラ９が回転する。その結果、インペラ９に設けられた動翼１２が空気を押し込んで流し空気は動翼１２に沿って流される。インペラ９から排気された空気はエアガイド１５とファンケース１６に沿って流れ電動機６へと流される。吸気側と排気側両方の動翼先端部１３では空気が流れる際に微小溝１４が細かい渦を発生させるため大きな渦が発生しなくなり、騒音が低減され送風効率が向上する。
【００２４】
なお、本実施の形態において、動翼１２は樹脂製のインデューサ１０と金属製の板金部１１によって構成されるとしたが、動翼１２をインデューサ１０のみ、あるいは板金部１１のみで構成しその動翼先端部１３に微小溝追加部１８を設ける構成としてもかまわない。
【００２５】
また、本実施の形態において、吸気側微小溝追加部１８Ａはインデューサ１０に設け、排気側微小溝追加部１８Ｂは板金部１１に設けたが、これらは、インデューサ１０と板金部１１の２つに及ぶ形状としてもかまわない。
【００２６】
また、本実施の形態において、微小溝追加部１８は動翼１２に段差ができるよう動翼１２の肉厚を急激に薄くする構成としたが、動翼１２の肉厚を徐々に薄くする構成としてもかまわない。
【００２７】
そしてまた、本実施の形態において、動翼１２の吸気側と排気側との先端部に、微小溝追加部１８を設け、この微小溝追加部１８に複数の微小溝１４を設けた構成としたが、必要に応じて動翼１２の吸気側と排気側とのいずれか一方のみに微小溝追加部１８と微小溝１４を設けるようにしてもよいものである。
【００２８】
（実施の形態２）
図２は、本発明の実施の形態２における電動送風機のインペラを示すものである。電動送風機の構成については実施の形態１と同じであるので、同一要素に同一符号を付してその説明を省略する。
【００２９】
図２において、本実施の形態における吸気側微小溝追加部１８Ａは、動翼１２全体と異なる荷重たわみ温度の低い樹脂で形成されている。この吸気側微小溝追加部１８Ａはインサート成型により容易に樹脂製のインデューサ１０と一体に成型されている。また、排気側微小溝追加部１８Ｂは、動翼１２全体と異なる硬度の低い樹脂で形成されている。他の構成は実施の形態１と同じである。
【００３０】
以上のように構成された電動送風機において、吸気側微小溝追加部１８Ａに微小溝１４を形成する際にはインペラ９へ熱が加えられる。このため、インペラ９全体が加熱されるが、吸気側微小溝追加部１８Ａのみ荷重たわみ温度が低い樹脂で構成されているため、微小溝１４が加工されやすい状態になる。この状態で微小溝１４を追加する加工を行うと、動翼１２の吸気側微小溝追加部１８Ａ以外の箇所が同時に加工され微小溝１４が大きく形成されてしまうことを避けることができる。また、通常使用時にはインペラ９は高温にならないため吸気側微小溝追加部１８Ａが変形することはない。
【００３１】
排気側微小溝追加部１８Ｂは動翼１２の板金部１１に表面が滑らかになるよう接続される。排気側微小溝追加部１８Ｂは動翼１２全体と異なる硬度の低い樹脂で構成されているため、排気側微小溝追加部１８Ｂの板金部１１との接続面を板金部１１で削ることができ、接続面の形状を確実に一致させることができる。このため排気側微小溝追加部１８Ｂの板金部１１との接続面には隙間が生じない。また、排気側微小溝追加部１８Ｂを削ることで微小溝１４が形成されるが、微小溝１４を形成する際、排気側微小溝追加部１８Ｂに力が加わり板金部１１に押し付けられるため、排気側微小溝追加部１８Ｂと板金部１１の接続面で排気側微小溝追加部１８Ｂが削られ、より隙間無く排気側微小溝追加部１８Ｂと板金部１１が接続される。
【００３２】
なお、本実施の形態において、吸気側微小溝追加部１８Ａは荷重たわみ温度が低い樹脂で構成したが、硬度の低い樹脂で構成してもかまわない。
【００３３】
また、本実施の形態において、排気側微小溝追加部１８Ｂは硬度の低い樹脂で構成したが、荷重たわみ温度が低い樹脂で構成してもかまわない。
【００３４】
また、本実施の形態において、微小溝追加部１８は動翼先端部１３全体の材質を動翼１２全体とは異なる材質にすることで構成したが、図３に示した他の構成例のように、動翼先端部１３の一部の材質のみを動翼１２全体とは異なる材質とし微小溝追加部１８としてもかまわない。
【００３５】
また、本実施の形態において、吸気側微小溝追加部１８Ａへ微小溝１４を設ける加工はインペラ９を加熱する構成としたが、加工具を加熱してもかまわない。
【００３６】
（実施の形態３）
図４は、本発明の実施の形態３における電気掃除機の全体構成を示すものである。
【００３７】
図に示すように、電気掃除機は、掃除機本体１９、塵埃の吸い込み具２０、ホース２１などから構成され、掃除機本体１９内には、実施の形態１または２に示した電動送風機５が内蔵されている。この電動送風機５は、既述したとおり、微小溝追加部１８と微小溝１４が設けられたインペラ９が配置されている。
【００３８】
以上のように構成された電気掃除機において、掃除機本体１９を起動すると電動送風機５が送風を行う。電動送風機５は微小溝追加部１８によって微小溝１４を設けられたインペラ９を有しているため、騒音が低く高い送風効率で動作する。したがって電気掃除機全体としても低い騒音でかつ高い送風効率で動作できる。
【産業上の利用可能性】
【００３９】
以上のように、本発明にかかる電動送風機は、容易に複数の微小溝を設けることができ、低騒音化を図り送風効率を向上させることができるので、電動送風機を用いる各種機器に適用可能である。また、この電動送風機を用いた電気掃除機は、低騒音化と吸引力向上が図れるため、各種形態の掃除機に適用することができる。
【図面の簡単な説明】
【００４０】
【図１】（ａ）本発明の実施の形態１における電動送風機の半分を断面にして示した正面図（ｂ）同電動送風機のインペラの構成を一部断面にして示す斜視図
【図２】本発明の実施の形態２における電動送風機のインペラの構成を一部断面にして示す斜視図
【図３】同電動送風機のインペラにおける他の構成例を示す動翼先端部の斜視図
【図４】本発明の実施の形態３における電気掃除機を示す全体構成図
【符号の説明】
【００４１】
５  電動送風機
６  電動機
７  ブラケット
８  回転軸
９  インペラ
１２  動翼
１３  動翼先端部
１４  微小溝
１５  エアガイド
１６  ファンケース
１８  微小溝追加部
１９  掃除機本体
【図１】
2007247492.tif 000003
【図２】
2007247492.tif 000004
【図３】
2007247492.tif 000005
【図４】
2007247492.tif 000006